(57)【要約】【課題】パチンコ機における球タンクの下流に遊技球を球払出装置へ誘導するため緩傾斜状に設けられた傾斜樋に、遊技球の流下を一時的に阻止するために設けられる球止装置であって、部品数が少なく組み付けが容易でコストを軽減させると共に、遊技球の位置に拘わらず簡単，確実に球止めができるようにする。【解決手段】球タンク１の下流に遊技球Ｐを球払出装置２へ誘導するための傾斜樋３が設けられたパチンコ機において、遊技球が流通する通路部材１３を該傾斜樋の一部をなすように設け、該通路部材を変動させ該通路部材の底壁の上流側開口１７ａ，１７ｂ縁を上方にずらし該傾斜樋の底面を段違い状にすることにより、遊技球が該通路部材の上流側開口縁に突き当たり該遊技球の流下が阻止されるようにする。【選択図】図５
2006141724.tif 000002
【特許請求の範囲】
【請求項１】
球タンクの下流に遊技球を球払出装置へ誘導するための傾斜樋が設けられたパチンコ機において、遊技球が流通する通路部材を該傾斜樋の一部をなすように設け、該通路部材を変動させ該通路部材の上流側開口縁をずらすことにより該傾斜樋を流下する遊技球を該通路部材の上流側開口縁に突き当て該遊技球の流下を阻止するように構成したことを特徴とするパチンコ機の球止装置。
【請求項２】
球タンクの下流に遊技球を球払出装置へ誘導するための傾斜樋が設けられたパチンコ機において、遊技球が流通する通路部材を該傾斜樋の一部をなすように設け、該通路部材を変動させ該通路部材の底壁の上流側開口縁を上方にずらし該傾斜樋の底面を段違い状にすることにより、遊技球が該通路部材の上流側開口縁に突き当たり該遊技球の流下が阻止されるように構成したことを特徴とするパチンコ機の球止装置。
【請求項３】
遊技球の流下が許容される開状態と遊技球の流下が阻止される閉状態に通路部材の変動状態が位置決めされるように位置決め手段を設けた請求項１または２に記載のパチンコ機の球止装置。
【請求項４】
傾斜樋の終端部に通路部材を設けた請求項１〜３のいずれかに記載のパチンコ機の球止装置。
【請求項５】
通路部材はエルボ状の形態に形成され、該通路部材の上流側開口が傾斜樋の終端部に相対し、下流側開口が球払出装置の球流入口と相対するようにパチンコ機裏面に鉛直面内で回転可能なるように設けられ、該通路部材を回転させることにより該通路部材の底壁の上流側開口縁が傾斜樋の終端部より上方にずれるようにした請求項４に記載のパチンコ機の球止装置。
【請求項６】
通路部材の上流側開口縁にその上壁より斜め上方に向けて延びる庇状の球導入部材を一体に形成した請求項１〜５のいずれかに記載のパチンコ機の球止装置。
【請求項７】
通路部材を着脱可能に設けたことを特徴とする請求項１〜６のいずれかに記載のパチンコ機の球止装置。
【発明の詳細な説明】
【技術分野】
【０００１】
本発明は、パチンコ機における球タンクの下流に遊技球を球払出装置へ誘導するために設けられた傾斜樋（タンクレールとも称される。）に、遊技球の流下を一時的に阻止するために設けられる球止装置の構造に関するものである。
【背景技術】
【０００２】
パチンコ機の傾斜樋に設けられる球止装置は、例えば球払出装置に球噛み等の故障が発生して球払出装置を修理，交換等を行う必要が生じた場合に、遊技球の流下を一時的に阻止するためのものであり、下記特許文献１，２に示されたように、鉤状に形成された球止部材をバネまたは自重によって傾斜樋内に上方から挿入させ、該球止部材に遊技球が突き当たることで該遊技球の流下が阻止される構成であった。
【特許文献１】特開１９９７−１７３５６１号公報
【特許文献２】特開１９９７−１９２３１４号公報
【発明の開示】
【発明が解決しようとする課題】
【０００３】
ところで、従来の上記特許文献１，２等に示された球止装置では、球止部材を傾斜樋の別部品として成形することを要するほか、球止部材を軸支するピン、或いはバネ等の部品を要し、それらの組み付けをも要するものであったので、コストが高くなるという問題があった。
また、球止部材を傾斜樋内に突入させる際に該球止部材の先端が遊技球の中心に突き当たると挿入できないという問題があり、上記特許文献２ではそのような事態を回避する策が開示されているが、構造が一層複雑になりコストアップになると共に、組み付けの際に微調整が必要になるなどの問題がある。
そこで本発明はこのような問題を解決し、部品数が少なく組み付けが容易でコストを軽減できると共に、遊技球の位置に拘わらず簡単，確実に球止めができるパチンコ機の球止装置を提供しようとするものである。
【課題を解決するための手段】
【０００４】
そのために請求項１に記載の発明は、球タンクの下流に遊技球を球払出装置へ誘導するための傾斜樋が設けられたパチンコ機において、遊技球が流通する通路部材を該傾斜樋の一部をなすように設け、該通路部材を変動させ該通路部材の上流側開口縁をずらすことにより該傾斜樋を流下する遊技球を該通路部材の上流側開口縁に突き当て該遊技球の流下を阻止するように構成したことを特徴とする。
また、請求項２に記載の発明は、球タンクの下流に遊技球を球払出装置へ誘導するための傾斜樋が設けられたパチンコ機において、遊技球が流通する通路部材を該傾斜樋の一部をなすように設け、該通路部材を変動させ該通路部材の底壁の上流側開口縁を上方にずらし該傾斜樋の底面を段違い状にすることにより、遊技球が該通路部材の上流側開口縁に突き当たり該遊技球の流下が阻止されるように構成したことを特徴とする。
また、請求項３に記載の発明は、遊技球の流下が許容される開状態と遊技球の流下が阻止される閉状態に通路部材の変動状態が位置決めされるように位置決め手段を設けたことを特徴とする。
また、請求項４に記載の発明は、傾斜樋の終端部に通路部材を設けたことを特徴とする。
また、請求項５に記載の発明は、通路部材はエルボ状の形態に形成され、該通路部材の上流側開口が傾斜樋の終端部に相対し、下流側開口が球払出装置の球流入口と相対するようにパチンコ機裏面に鉛直面内で回転可能なるように設けられ、該通路部材を回転させることにより該通路部材の底壁の上流側開口縁が傾斜樋の終端部より上方にずれるようにしたことを特徴とする。
また、請求項６に記載の発明は、通路部材の上流側開口縁にその上壁より斜め上方に向けて延びる庇状の球導入部材を一体に形成したことを特徴とする。
また、請求項７に記載の発明は、通路部材を着脱可能に設けたことを特徴とする。
【発明の効果】
【０００５】
請求項１に記載の発明では、部品数が少なく組み付けが容易でコストを軽減できる。
請求項２に記載の発明では、部品数が少なく組み付けが容易でコストを軽減できると共に、遊技球の位置に拘わらず簡単，確実に球止めがなされる。
請求項３に記載の発明では、遊技球の流下を確実に制止できる。
請求項４に記載の発明では、球止め操作をした際にその下流の球払出装置に流れ出る遊技球の数を可及的に少なくできる。
請求項５に記載の発明では、通路部材を容易に組み付けることができる。
請求項６に記載の発明では、庇部材を別部品として設けなくてもよく、コストを軽減できる。
請求項７に記載の発明では、例えばビス等の異物が通路中に侵入して球詰まり等を起こしたときに、通路部材を取り外し異物を取り除くことができる
【実施例１】
【０００６】
次に本発明の実施例を説明する。図１は本発明に係るパチンコ機の裏面図で、１は払い出し用の遊技球が貯留される球タンク、２は球払出装置、３は該球タンクの下流に遊技球を該球払出装置へ誘導するために設けられた傾斜樋、４は該球払出装置の下流に設けられた球払出樋である。図２は該傾斜樋３の終端部に設けられた本発明に係る球止装置の正面図、図３はその作動状態図、図４は図２の縦断面図、図５は図３の縦断面図、図６は本発明に係る球止装置の斜視図、図７はその作動状態図、図８は分解斜視図である。この傾斜樋３は２列の流路３ａ，３ｂが平行に形成され、該傾斜樋に一体に形成された取付片５にビス６を貫挿しパチンコ機の裏面の遊技盤取付枠７に固着するとともに、該傾斜樋に一体に形成された取付片８を該遊技盤取付枠７に突設された小突起９ａおよびボス９ｂに係合することによりパチンコ機裏面に緩傾斜状に固定される。なお、該傾斜樋３の終端部の外側面に「閉」と「開」とからなる文字１０が夫々上下位置に表記されている。また、１１ａは遊技盤取付枠７に小突起９ａとは別に突設された取付用の小突起、１１ｂ，１１ｃは同じく遊技盤取付枠７に突設された取付用のボスである。
【０００７】
１３はビス１６ａ，１６ｂによって２部材を組み合わせることにより２列エルボ状の形態に成形されたプラスチック製の通路部材で、該通路部材はその屈折個所の外側部に一体に形成された取付片１４にビス１５を貫挿し前記ボス１１ｃに該ビス１５を止着することにより、該ビス１５を支点としてパチンコ機裏面に鉛直面内で回転可能なるように設けられる。そして、該通路部材の上流側開口１７ａ，１７ｂが傾斜樋の終端部に相対し、下流側開口１８ａ，１８ｂが球払出装置２の球流入口２ａ，２ｂと相対することで該傾斜樋３の一部をなすように該傾斜樋の終端部に設けられる。また、１９ａ，１９ｂは該通路部材の上流側開口にその上壁より斜め上方に向けて延びるように一体に形成された庇状の球導入部材である。また、２０は該通路部材の上流側開口付近に一体に形成された板バネ状の弾性片、２１は該弾性片の先端部に形成された円柱状の係合子、２２は該通路部材の前面に一体に突出状に形成された摘子、２３は該摘子付近に設けられた動作表示部で、該動作表示部に上向きと下向きの矢印記号が表示され、その両矢印の間に前記文字１０が透視されるように該動作表示部および該通路部材１３全体が透明プラスチックにより成形されている。また、２４は位置決め手段となる板状体で、該板状体には２つの凹欠部２５，２６が形成され、該板状体を前記小突起９ａ，１１ａおよびボス９ｂ，１１ｂに位置合わせすると共に、ビス２７，２８を貫挿して遊技盤取付枠７に固着することにより、該凹欠部２５，２６に前記係合子２１が弾性的に当接し得るようになる。
【０００８】
このように構成した球止装置は、常態では図２，図４，図６に示したように、係合子２１を一方の凹欠部２５に遊嵌させ、通路部材１３の上流側開口１７ａ，１７ｂが傾斜樋３の流路３ａ，３ｂの終端部に相対するように位置決めすることにより、該流路３ａ，３ｂを流下してきた遊技球Ｐは該通路部材１３中を流通し、下流側開口１８ａ，１８ｂより球払出装置２の球流入口２ａ，２ｂに流入する。これによって必要な球払出が行われる。このとき、図２に示したように前記「開」の文字が表示孔２３に表示され、この球止装置が開状態にあることを分かり易くしている。また、球導入部材１９ａ，１９ｂは流路３ａ，３ｂ上に遊技球が２段以上に積み重なって流下してきた場合にも該遊技球を該通路部材１３の上流側開口１７ａ，１７ｂ中に案内する。
【０００９】
一方、摘子２２を手で摘んで通路部材１３をビス１５を支点として上向きに回転させ、図３，図５，図７に示したように該通路部材の底壁の上流側開口１７ａ，１７ｂ縁を上方にずらし該傾斜樋の底面を段違い状にすることにより、遊技球Ｐが該通路部材の上流側開口縁に突き当たり該遊技球の流下が阻止される。このとき図３に示したように前記「閉」の文字が表示孔２３に表示され、この球止装置が閉状態になったことが分かる。また同時に係合子２１が他方の凹欠部２６に遊嵌することによりこの閉状態に該通路部材１３の変動状態が位置決めされる。このため、該通路部材１３のこのように変動させることで、該通路部材より上流の遊技球を確実に流下阻止することができ、球払出装置２が球詰まりしたり故障した場合等に対処できる。なお、このように通路部材１３を閉状態に位置決めしたときは、該通路部材１３の上流側開口１７ａ，１７ｂ縁が遊技球Ｐの中心に突き当たることで該遊技球Ｐの流下が停止されるようにすることが望ましい。
【００１０】
また、通路部材１３は上記ビス１５を外すことにより簡単に取り外すことができるので、通路部材１３内にビス程度の大きさの何らかの異物が侵入し、球詰まりを起こしたようなときでも、簡単に対処することができる。
【００１１】
このように本発明の球止装置は、傾斜樋の一部をなす通路部材を変動させ該通路部材の底壁の上流側開口縁を上方にずらすことにより遊技球が該通路部材の上流側開口縁に突き当たり該遊技球の流下が阻止されるようにしたので、遊技球がどの位置にあろうとも通路部材を上方にずらし流下を阻止することができる。また、該通路部材を傾斜樋の終端部に設けることで、エルボ状の形態に形成されると共に、１本のビスにより簡単に組み付けることができ、所要部品数も少ないことからコストを軽減することができる。
【００１２】
なおこの実施例では、通路部材１３の上流側開口縁を上方にずらすことで遊技球の流下を阻止するようにしたが、通路部材が水平方向にずれるよう変動し得る構成としても遊技球の流下を阻止することができる。
【図面の簡単な説明】
【００１３】
【図１】本発明に係る球止装置を設けたパチンコ機の裏面図。
【図２】本発明に係る球止装置の正面図。
【図３】図２の作動状態図。
【図４】図２の球止装置の縦断面図。
【図５】図４の作動状態図。
【図６】本発明に係る球止装置の斜視図。
【図７】図６の作動状態図。
【図８】本発明に係る球止装置の分解斜視図。
【符号の説明】
【００１４】
１                球タンク
２                球払出装置
２ａ，２ｂ        球流入口
３                傾斜樋
１３              通路部材
１５              ビス
１７ａ，１７ｂ    上流側開口
１８ａ，１８ｂ    下流側開口
１９ａ，１９ｂ    球導入部材
２０              弾性片
２１              係合子
２２              摘子
２４              板状体
２５，２６        凹欠部
Ｐ                遊技球
【図１】
2006141724.tif 000003
【図２】
2006141724.tif 000004
【図３】
2006141724.tif 000005
【図４】
2006141724.tif 000006
【図５】
2006141724.tif 000007
【図６】
2006141724.tif 000008
【図７】
2006141724.tif 000009
【図８】
2006141724.tif 000010